(57)【要約】【課題】記録媒体に記録された複数種類の画像データの中から所望の種類の画像データを簡単にバックアップすることができる制御プログラム及び記録装置の提供。【解決手段】コンピュータに、画像データとサムネイル画像データやスクリーンネイル画像データなどの縮小画像データとが互いに関連付けて記録された記録媒体が装填されると、縮小画像データのみを他の記録媒体に記録させるための指示を受けるステップや、縮小画像データのみを記録させるか又は全ての画像データを記録させるのかの選択指示を受けるステップを実行させるものであり、ユーザは選択画面上で選択するのみで記録媒体に記録された所望の種類の画像データをハードディスクなどにバックアップすることができる。【選択図】図５
2005236974.tif 000002
【特許請求の範囲】
【請求項１】
コンピュータに、記録媒体に互いに関連付けて記録された画像データ及び縮小画像データの少なくとも一方を他の記録媒体に記録させる処理を実行させるためのプログラムであって、
コンピュータに、前記縮小画像データを前記他の記録媒体に記録させるためのユーザの指示を受けるステップを少なくとも実行させることを特徴とする制御プログラム。
【請求項２】
コンピュータに、更に、前記縮小画像データを前記他の記録媒体に記録させる第１の記録モードと、前記画像データと前記縮小画像データとを前記他の記録媒体に記録させる第２の記録モードとの選択指示を受けるステップを実行させることを特徴とする請求項１記載の制御プログラム。
【請求項３】
前記他の記録媒体は、コンピュータに備え付けのハードディスクであることを特徴とする請求項１又は２に記載の制御プログラム。
【請求項４】
前記縮小画像データには複数のサイズがあり、前記第１の記録モードにおいては、大きいサイズの前記縮小画像データを記録させることを特徴とする請求項２又は３に記載の制御プログラム。
【請求項５】
前記第１の記録モードにおいて、前記縮小画像データを記録する際に、前記縮小画像データに関連付けられた前記画像データを参照するための情報も合わせて記録させることを特徴とする請求項２乃至４のいずれか一に記載の制御プログラム。
【請求項６】
前記画像データ及び前記縮小画像データのファイル名に関連性があることを特徴とする請求項１乃至５のいずれか一に記載の制御プログラム。
【請求項７】
前記記録媒体には、特定のフォルダ構造に従って前記画像データと前記縮小画像データとが記録されており、前記他の記録媒体には、前記特定のフォルダ構造を維持して、前記縮小画像データ、又は、前記画像データ及び前記縮小画像データを記録させることを特徴とする請求項１乃至６のいずれか一に記載の制御プログラム。
【請求項８】
前記記録媒体に前記縮小画像データが記録されていない場合に、前記縮小画像データが記録されていないことを示す警告メッセージを表示するステップを実行させることを特徴とする請求項１乃至７のいずれか一に記載の制御プログラム。
【請求項９】
複数の前記記録媒体に記録されている前記縮小画像データ、又は、前記画像データ及び前記縮小画像データを前記他の記録媒体に記録する場合に、各々の前記記録媒体に記録されている前記縮小画像データ、又は、前記画像データ及び前記縮小画像データを区分けして記録させることを特徴とする請求項１乃至８のいずれか一に記載の制御プログラム。
【請求項１０】
少なくとも画像データと縮小画像データとを関連付けて記録媒体に記録する第１の記録装置と、前記記録媒体に記録された前記画像データ又は前記縮小画像データの少なくとも一方を他の記録媒体に記録する第２の記録装置とを含む記録システムであって、
前記第２の記録装置では、前記記録媒体に記録された前記縮小画像データを前記他の記録媒体に記録させるためのユーザの指示を受けるステップを少なくとも実行することを特徴とする記録システム。
【請求項１１】
記録媒体に互いに関連付けて記録された画像データ及び縮小画像データの少なくとも一方を他の記録媒体に記録させる処理を実行する記録装置であって、
前記縮小画像データを前記他の記録媒体に記録させるためのユーザの指示を受けるステップを少なくとも実行することを特徴とする記録装置。
【発明の詳細な説明】
【技術分野】
【０００１】
本発明は、画像データをバックアップするための制御を行う制御プログラム及び記録装置に関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
【０００４】
また、デジタルカメラやメディア、フィルムから読み取った元の画像データのデータサイズを縮小したサムネイル画像データやスクリーンネイル画像データなどの縮小画像データを作成し、元の画像データと縮小画像データとをＣＤ−Ｒ、ＤＶＤ−Ｒなどの記録媒体に書き込むサービスも行われている。
【０００５】
【特許文献１】特開平５−１８２３７３号公報（第４−６頁、第３図）
【発明の開示】
【発明が解決しようとする課題】
【０００６】
上記サービスを利用することにより、デジタルカメラやメディア等に記録された画像データや画像再生機器用に変換された画像データなどが記録された記録媒体に入手することができ、更に記録媒体に記録された画像データをコンピュータ機器のハードディスクなどにバックアップすることにより画像データを保管、管理することができるが、これらの画像データをバックアップするためには、従来は所定のプログラム（例えば、ウィンドウズ（登録商標）のエクスプローラなど）を用いてユーザ自らが記録媒体の記録構造（フォルダ構成やフォルダ名称など）を調べ、この記録構造を参照して所望の画像データを特定しなければならず、操作が煩雑になるという場合があった。
【０００７】
そこで専用のバックアップソフトウェアを用意することが考えられるが、常にユーザの手元にあるという保証はない。さらに通常、これらのバックアップソフトウェアはＣＤ−ＲＯＭ等の記録媒体で供給されるが、その場合、ソフトウェアをインストールするための記録媒体と画像データが記録されている記録媒体とを入れ替えるという手間が発生してしまう。
【０００８】
本発明は、上記問題点に鑑みてなされたものであって、その主たる目的は、記録媒体に記録された複数種類の画像データの中から所望の種類の画像データを簡単にバックアップすることができる制御プログラム及び記録装置を提供することにある。
【課題を解決するための手段】
【０００９】
上記目的を達成するため、本発明の制御プログラムは、コンピュータに、記録媒体に互いに関連付けて記録された画像データ及び縮小画像データの少なくとも一方を他の記録媒体に記録させる処理を実行させるためのプログラムであって、コンピュータに、前記縮小画像データを前記他の記録媒体に記録させるためのユーザの指示を受けるステップを少なくとも実行させるものである。
【００１０】
本発明においては、コンピュータに、更に、前記縮小画像データを前記他の記録媒体に記録させる第１の記録モードと、前記画像データと前記縮小画像データとを前記他の記録媒体に記録させる第２の記録モードとの選択指示を受けるステップを実行させる構成とすることができる。
【００１１】
また、本発明においては、前記他の記録媒体は、コンピュータに備え付けのハードディスクとすることが好ましい。
【００１２】
また、本発明においては、前記縮小画像データには複数のサイズがあり、前記第１の記録モードにおいては、大きいサイズの前記縮小画像データを記録させる構成とすることもできる。
【００１３】
また、本発明においては、前記第１の記録モードにおいて、前記縮小画像データを記録する際に、前記縮小画像データに関連付けられた前記画像データを参照するための情報も合わせて記録させる構成とすることもできる。
【００１４】
また、本発明においては、前記画像データ及び前記縮小画像データのファイル名に関連性がある構成とすることもできる。
【００１５】
また、本発明においては、前記記録媒体には、特定のフォルダ構造に従って前記画像データと前記縮小画像データとが記録されており、前記他の記録媒体には、前記特定のフォルダ構造を維持して、前記縮小画像データ、又は、前記画像データ及び前記縮小画像データを記録させる構成とすることもできる。
【００１６】
また、本発明においては、前記記録媒体に前記縮小画像データが記録されていない場合に、前記縮小画像データが記録されていないことを示す警告メッセージを表示するステップを実行させる構成とすることもできる。
【００１７】
更に、本発明においては、複数の前記記録媒体に記録されている前記縮小画像データ、又は、前記画像データ及び前記縮小画像データを前記他の記録媒体に記録する場合に、各々の前記記録媒体に記録されている前記縮小画像データ、又は、前記画像データ及び前記縮小画像データを区分けして記録させる構成とすることもできる。
【００１８】
また、本発明の記録システムは、少なくとも画像データと縮小画像データとを関連付けて記録媒体に記録する第１の記録装置と、前記記録媒体に記録された前記画像データ又は前記縮小画像データの少なくとも一方を他の記録媒体に記録する第２の記録装置とを含む記録システムであって、前記第２の記録装置では、前記記録媒体に記録された前記縮小画像データを前記他の記録媒体に記録させるためのユーザの指示を受けるステップを少なくとも実行するものである。
【００１９】
また、本発明の記録装置は、記録媒体に互いに関連付けて記録された画像データ及び縮小画像データの少なくとも一方を他の記録媒体に記録させる処理を実行する記録装置であって、前記縮小画像データを前記他の記録媒体に記録させるためのユーザの指示を受けるステップを少なくとも実行するものである。
【００２０】
このように、本発明によれば、記録媒体に互いに関連付けて記録された画像データ及び縮小画像データの中から、縮小画像データのみを他の記録媒体に記録させるための指示や、縮小画像データのみを記録させるか又は全ての画像データを記録させるのかの選択指示を受けるステップが実行されるため、所望の種類の画像データを簡単にハードディスクなどの他の記録媒体にバックアップすることができる。
【発明の効果】
【００２１】
本発明の制御プログラム及び記録装置によれば、所望の種類の画像データを簡単に記録装置のハードディスクなどにバックアップすることができる。
【００２２】
その理由は、本発明の記録装置では、画像データ及び縮小画像データが互いに関連付けて記録された記録媒体が装填されると、縮小画像データのみを他の記録媒体に記録させるための指示を受けるステップや、縮小画像データのみを記録させるか又は全ての画像データを記録させるのかの選択指示を受けるステップが実行され、特定された画像データを自動的に予め指定されたハードディスク等の記録手段にバックアップする制御が行われるからである。
【発明を実施するための最良の形態】
【００２３】
本発明に係る制御プログラムは、その好ましい一実施の形態において、コンピュータに、画像データとサムネイル画像データやスクリーンネイル画像データなどの縮小画像データとが互いに関連付けて記録された記録媒体が装填されると、縮小画像データのみを他の記録媒体に記録させるための指示を受けるステップや、縮小画像データのみを記録させるか又は全ての画像データを記録させるのかの選択指示を受けるステップを実行させるものであり、ユーザは選択画面上で選択するのみで、記録媒体に記録された所望の種類の画像データを記録装置のハードディスクなどにバックアップすることができる。
【実施例】
【００２４】
上記実施形態について詳細に説明すべく、本発明の一実施例に係る制御プログラム及び記録装置について、図１乃至図１３を参照して説明する。図１は、本発明の一実施例に係る記録媒体作成装置及び記録装置の構成を模式的に示す図であり、図２乃至図４は、記録装置の他の構成を模式的に示す図である。また、図５は、記録装置の機能を示すブロック図であり、図６は、本実施例に係る記録媒体の作成手順を示すフローチャート図、図７は、本実施例に係る画像データのバックアップ手順を示すフローチャート図である。また、図８乃至図１０は、画像データの記録構造を示す図であり、図１１乃至図１３は、記録装置の表示手段に表示される画面の構成例を示す図である。
【００２５】
図１に示すように、本実施例の記録システムは、画像データ（静止画像データ、動画データ、画像情報を含むデータなど）を記録媒体９に記録する記録媒体作成装置１と、該記録媒体９に記録されている全ての画像データ又は該画像データのデータサイズ等を縮小して作成したサムネイル画像データやスクリーンネイル画像データなど（以下、これらを総称して縮小画像データと呼ぶ。）をハードディスク等の記録手段に記録する記録装置１０とを少なくとも備えている。
【００２６】
また、記録媒体作成装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク２２を介してサーバ２１から画像データをダウンロードするネットワーク接続部等のデータ入力手段と、メディア８やデジタルカメラ７から読み取った、又はサーバ２１からダウンロードした画像データや該画像データのデータサイズを縮小した縮小画像データ、該画像データをＤＶＤプレーヤやＤＶＤレコーダ、ゲーム機などで再生可能な形式に変換された画像データなどが記録されるＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４と、ボタン、キーボード、マウス等の操作部６及びＬＣＤ、ＣＲＴ等の表示部５（図では操作部６と表示部５とを兼ね備えるタッチパネルを示している。）とを備えている。なお、図１では記録媒体作成装置１として写真店やコンビニエンスストアなどの店舗に設置される無人端末（キオスク）を示しているが、記録媒体作成装置１の形態は任意であり、入力手段や記録手段を備えた専用のセットトップボックスやポータブルライター、パソコンなどとしてもよい。
【００２７】
また、本実施例の記録装置１０は、上記記録媒体９を装填する記録媒体装填部１１ａや後述する選択手段、記録構造判別手段、記録制御手段などを備える本体１１と、メニュー画面や選択画面、警告画面などを表示するモニタ等の表示手段１２と、選択操作を行う操作手段１３とを備えている。なお、図１では記録装置１０としてパソコンを用いる場合を示しているが、記録装置１０の形態は任意であり、例えば、ＨＤＤなどの記録手段を備えるホームサーバとしたり、図２に示すように、ＨＤＤレコーダやＤＶＤレコーダ、ゲーム機としたり、図３に示すように専用のセットトップボックスとしたり、図４に示すようにポータブルライターとしたり、ハードディスクを備えた端末と画像データの読み取りや書き込みを行う本体とが分離可能な携帯機器としたり、演算処理機能を備えたカーナビゲーション機器などとすることもできる。
【００２８】
上記記録装置１０の機能をブロック図で示すと図５のようになる。すなわち、記録媒体装填部１１ａ等を用いて記録媒体９に記録された画像データを入力する画像データ入力手段１４と、表示手段１２や操作手段１３などを制御してメニュー画面や選択画面、警告画面を表示し、ユーザにバックアップする画像データの種類を選択させる選択手段１５と、予め定められたルールに従って記録媒体９に生成されたフォルダの構成やフォルダの名称などに基づいて特定される記録媒体９の記録構造を判別する記録構造判別手段１６と、該記録構造を参照して選択された種類の画像データを内蔵又は外付けのハードディスク等の記録手段１８に記録する制御を行う記録制御手段１７とを備えている。なお、上記各手段は記録装置１０にハードウェアとして構成されていてもよいが、コンピュータに、少なくとも縮小画像データのみをハードディスクなどに記録させるための指示を受けるステップを実行させるための制御プログラムとして構成し、該プログラムを記録装置１０にインストールして実行する構成とすることもできる。また、バックアップ先の記録手段として、画像データを一元管理する上でハードディスクが好ましいが、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク、ＭＯなど（これらを総称して他の記録媒体と呼ぶ。）としてもよい。
【００２９】
次に、記録媒体９に記録された画像データをバックアップする手順について説明する前に、上記記録媒体作成装置１を用いて記録媒体９に複数種類の画像データを記録する手順について、図６のフローチャート図を参照して説明する。
【００３０】
まず、ステップＳ１０１で、記録媒体作成装置１のメディア装填部２にメディア８を装填、又は、機器接続部３にデジタルカメラ７やカメラ付き携帯電話機７ａを接続、又はネットワーク接続部を通信ネットワーク２２に接続すると共に、記録媒体装填部４に記録媒体９を装填する。次に、ステップＳ１０２で、デジタルカメラ７やメディア８の所定のエリアに格納された画像データやサーバ２１に記録された画像データを読み取る。
【００３１】
次に、ステップＳ１０３で、読み取った画像データ（元画像データ）のデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができるが、縮小画像データを有効に利用するためには記録装置１０のモニタの解像度以上の画素数、又は、サービス版程度の写真プリントを作成できる程度の画素数を備えていることが好ましい。具体的には、例えば、サムネイル画像データは１６０×１２０画素程度、スクリーンネイル画像データとしては６４０×４８０画素程度とすることができる。
【００３２】
次に、ステップＳ１０４で、必要に応じて、読み取った画像データをＤＶＤプレーヤやＤＶＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。なお、画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３３】
次に、ステップＳ１０５で、データ転送手段を用いて、変換された動画データや関連付けファイル等（以下、これらを総称して画像再生機器用データと呼ぶ。）を予め設けた書き込み用の所定のフォルダに転送した後、データ記録手段を用いて、該フォルダから画像再生機器用データを読み出して、記録媒体９の論理アドレス領域の内側に記録する。なお、上記論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まない領域である。その後、ステップＳ１０６で、データ記録手段を用いて、コンピュータ機器用のデータの記録を行う前に、必要に応じて、画像再生機器で使用可能なデータの領域を区分するために一旦セッションをクローズする。
【００３４】
次に、ステップＳ１０７で、データ転送手段を用いて、入力された画像データや作成された縮小画像データ、画像データに基づいてスライドショーを再生するためのアプリケーション、スライドショーの設定ファイル等（以下、これらを総称してコンピュータ機器用データと呼ぶ。）を予め設けた書き込み用の所定のフォルダに転送した後、データ記録手段を用いて、該フォルダからコンピュータ機器用データを読み出して、記録媒体９に先に記録された画像再生機器用データの外側に記録して一連の書き込み処理を終了する。
【００３５】
上記手順で作成された記録媒体９の記録構造は、例えば、図８（ａ）に示すようになり、所定のフォルダに格納された元の画像データ、サムネイル画像データ、スクリーンネイル画像データ、各種画像データと記録媒体９とを関連付けるアルバム情報などが記録された情報ファイル（info.txt）、スライドショープログラムなどのアプリケーション、スライドショーの設定ファイル、自動再生のためのファイルなどでコンピュータ機器用データが構成され、Ｖｉｄｅｏ−ＣＤ形式のデータを生成した場合は、画像データをＶｉｄｅｏ−ＣＤ形式用データ等として関連付けるファイルを格納するフォルダ（ＶＣＤ）、ＴＶ画面に表示する画像データを格納するフォルダ（ＳＥＧＭＥＮＴ）、動画データを格納するフォルダ（ＭＰＥＧＡＶ）、ＴＶ画面に静止画像データを表示するためのアプリケーションなどを格納するフォルダ（ＤＡＴ）などで画像再生機器用データが構成される。また、ＤＶＤ−Ｖｉｄｅｏ形式のデータを生成した場合は、図８（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで画像再生機器用データが構成される。
【００３６】
なお、元画像データや縮小画像データの記録構造は任意であるが、画像データを記録装置１０などにバックアップした場合における管理を容易にするために、予め定められたルールに従ってフォルダを構成し、そのフォルダにユニークな名称を付与してもよい。例えば、図８に示すように、画像データの格納場所を示すフォルダ（ＰＳフォルダ）の下位の階層にメディア８毎、機器毎、フィルム毎の画像データの格納場所を示すフォルダ（ＲＯフォルダ）を作成し、その中に元画像データを格納すると共に、その下位の階層にサムネイル画像データの格納場所を示すフォルダ（ＴＨＭフォルダ）やスクリーンネイル画像データの格納場所を示すフォルダ（ＳＣＲＥＥＮフォルダ）を作成する構成とすることができる。
【００３７】
また、メディア８毎、機器毎、フィルム毎のフォルダの名称が重複しないように、ＲＯフォルダの名称を”ROYYMMDDyyy_XXXXXXAABxxx”（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などとしたり、各々のデータをCCYYMMDDxxxxxx（CC：データの種別、YYMMDD：書き込み年月日を特定する数字、xxxx：シーケンシャル番号）などとしてもよい。
【００３８】
次に、上記記録媒体作成装置１で作成された記録媒体９に記録された画像データを記録装置１０にバックアップする手順について、図７のフローチャート図を参照して説明する。なお、ここでは画像データをハードディスクにバックアップする場合について示すが、上述したようにバックアップ先は、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク、ＭＯなどとしてもよい。
【００３９】
まず、ステップＳ２０１で、記録媒体９を記録装置１０の記録媒体装填部１１ａに挿入すると、ステップＳ２０２で、所定のプログラムが起動し、記録媒体９に予め定められた識別情報（例えば、YYMDyyyXXXXXXAABなど）が記録されているかを調べ、記録されている場合、選択手段１５は表示手段１２に図１１に示すようなメニュー画面１９を表示させる。このメニュー画面１９には、記録媒体９に記録された画像データを用いて行うことができる処理（例えば、画像データのバックアップ、スライドショー表示、写真プリントの作成など）の一覧が選択可能に表示される。
【００４０】
次に、ステップＳ２０３で、ユーザが表示手段１２をタッチしたり操作手段１３を用いてクリックして、メニュー画面１９の中からバックアップの項目を選択すると、ステップＳ２０４で、選択手段１５は表示手段１２に図１２に示すようなバックアップする画像データの種類を選択可能に表示する選択画面２０を表示させる。この選択画面２０はバックアップする画像データの種類を複数の選択肢の中から選択できる構成であればよく、図１２では、全ての画像データ（元画像データ、サムネイル画像データ、スクリーンネイル画像データ）又は縮小画像データ（サムネイル画像データ、スクリーンネイル画像データ）の２つを表示する場合を示しているが、これらの項目以外に、元画像データのみをバックアップする項目やスクリーンネイル画像データのみをバックアップする項目、画像再生機器用のデータを含めた全データをバックアップする項目などを設けることもできる。
【００４１】
次に、ステップＳ２０５で、ユーザが同様に表示手段１２をタッチしたり操作手段１３を用いてクリックして、選択画面２０の中からバックアップを希望する画像データの種類を選択する。
【００４２】
全ての画像データのバックアップを選択した場合（第２の記録モードと呼ぶ。）は、ステップＳ２０６で、記録構造判別手段１６を用いて記録媒体９の記録構造を判別し、ステップＳ２０７で、記録制御手段１７を用いて、記録媒体９に記録された画像データ（例えば、図８の構成の場合はＲＯフォルダに格納された元の画像データとＴＨＭフォルダに格納されたサムネイル画像データとＳＣＲＥＥＮフォルダに格納されたスクリーンネイル画像データ）を記録媒体９から読み取り、ステップＳ２０８で、これらの画像データと必要に応じて上述したアルバム情報などが記録された情報ファイル（info.txt）とを内蔵又は外付けのハードディスク等の記録手段１８に記録する制御を行う。
【００４３】
ここで、これらの画像データを記録手段１８に記録する際の記録構造も任意であるが、記録媒体９から読み取った画像データの管理を容易にするために、図９（ａ）に示すように記録媒体９の記録構造を維持して記録することが好ましい。また、複数の記録媒体９の画像データをバックアップする場合にこれらの画像データを管理しやすくするために、図９（ｂ）に示すようにＲＯフォルダの上位の階層に、コピーされた画像データの格納場所を示すフォルダ（PSYYMMDDyyy_XXXXXXAAB）などを作成してもよい。
【００４４】
また、縮小画像データのみのバックアップを選択した場合（第１の記録モードと呼ぶ。）は、ステップＳ２０９で記録構造判別手段１６を用いて記録媒体９の記録構造を判別し、ステップＳ２１０で、上記記録構造を参照して記録媒体９にサムネイル画像データが含まれているかを確認し、サムネイル画像データが含まれている場合は、ステップＳ２１１で、上記記録構造を参照して記録媒体９にスクリーンネイル画像データが含まれているかを確認する。そして、スクリーンネイル画像データが含まれている場合は、ステップＳ２１２で、記録制御手段１７を用いて、記録媒体９に記録された縮小画像データ（図８の構成の場合はＴＨＭフォルダに格納されたサムネイル画像データとＳＣＲＥＥＮフォルダに格納されたスクリーンネイル画像データ）を記録媒体９から読み取り、ステップＳ２１３で、縮小画像データを内蔵又は外付けのハードディスク等の記録手段１８に記録する制御を行う。なお、ここでは、記録手段１８にサムネイル画像データとスクリーンネイル画像データの双方を記録する構成としているが、いずれか一方のみを記録する構成としてもよく、その場合、スクリーンネイル画像データを記録すればコンピュータ機器のモニタ上での画像の識別を容易にすることができることから好ましい形態と言える。また、画像データをバックアップする際に、上記情報ファイル（info.txt）を記録してもよく、情報ファイルを利用することによって、必要な時に元の画像データにアクセス可能となるため便利である。
【００４５】
この場合においても、これらの画像データを記録手段１８に記録する際の記録構造も任意であるが、記録媒体９から読み取った画像データの管理を容易にするために、図１０（ａ）に示すように記録媒体９の記録構造を維持して記録してもよいし、複数の記録媒体９の画像データをバックアップする場合にこれらの画像データを管理しやすくするために、図１０（ｂ）に示すようにＰＳフォルダの上位の階層に、コピーされた画像データの格納場所を示すフォルダ（PSYYMMDDyyy_XXXXXXAAB）などを作成してもよい。
【００４６】
また、ステップＳ２１０でサムネイル画像データが含まれていない場合は、ステップＳ２１４で、表示手段１２に図１３（ａ）に示すような警告画面２３を表示して、記録媒体９にサムネイル画像データが含まれていないことをユーザに知らせ、また、ステップＳ２１１でスクリーンネイル画像データが含まれていない場合は、ステップＳ２１５で、表示手段１２に図１３（ｂ）に示すような警告画面２３を表示して、記録媒体９にスクリーンネイル画像データが含まれていないことをユーザに知らせる。このような警告画面２３を表示することにより、記録処理を行ったつもりが何も記録されていないという事態を未然に防止することができる。
【００４７】
なお、上記フローでは、１枚の記録媒体９に記録されている画像データをバックアップする場合について記載したが、複数枚の記録媒体９に記録されている画像データをバックアップする場合は同様の処理を繰り返せばよく、その場合に、記録媒体９毎の画像データをＲＯフォルダで区分して記録すれば、万一ファイルが重なった場合でも上書きで消されることがないようにすることができる。
【００４８】
このように、本実施例の制御プログラム及び記録装置１０では、特定の記録媒体９が装填されるとメニュー画面１９を表示し、メニュー画面１９中のバックアップが選択されると、全ての画像データをバックアップするのか、縮小画像データのみをバックアップするのかなどをユーザに選択させる選択画面２０を表示手段１２に選択可能に表示し、予め定められたルールに従って生成されたフォルダの構成やフォルダの名称などに基づいて特定される記録構造を参照して、選択された種類の画像データを特定し、特定した画像データを記録装置１０のハードディスク等の指定された記録手段１８に記録するため、ユーザ自らが記録媒体９のフォルダ構造を調べて、その中から所望の種類の画像データを特定する必要がなくなり、コンピュータ機器の操作に不慣れなユーザであっても所望の画像データを簡単にバックアップすることができる。
【００４９】
なお、上記各実施例では、画像データのみをバックアップする場合について示したが、本発明は上記実施例に限定されるものではなく、音楽付きスライドショーや音楽付き動画を再生するために記録媒体９に音楽データを記録する場合は、この音楽データも画像データと共にバックアップすることもできる。その場合は、例えば、全画像データを選択した場合にのみ音楽データをバックアップする構成としたり、画像データの種類の選択にかかわらず、音楽データはバックアップする構成とすることもできる。
【図面の簡単な説明】
【００５０】
【図１】本発明の一実施例に係る記録媒体作成装置及び記録装置の構成を示す外観図である。
【図２】本発明の一実施例に係る記録装置の他の構成を示す外観図である。
【図３】本発明の一実施例に係る記録装置の他の構成を示す外観図である。
【図４】本発明の一実施例に係る記録装置の他の構成を示す外観図である。
【図５】本発明の一実施例に係る記録装置の機能を示すブロック図である。
【図６】本発明の一実施例に係る記録媒体作成装置を用いた情報記録媒体の作成手順を示すフローチャート図である。
【図７】本発明の一実施例に係る記録装置を用いた画像データのバックアップ手順を示すフローチャート図である。
【図８】本発明の一実施例の記録媒体における画像データの記録構造を示す図である。
【図９】本発明の一実施例の記録装置における画像データの記録構造（全画像データを選択した場合）を示す図である。
【図１０】本発明の一実施例の記録装置における画像データの記録構造（縮小画像データを選択した場合）を示す図である。
【図１１】本発明の一実施例に係る記録装置の表示手段に表示されるメニュー画面の構成例を示す図である。
【図１２】本発明の一実施例に係る記録装置の表示手段に表示される選択画面の構成例を示す図である。
【図１３】本発明の一実施例に係る記録装置の表示手段に表示される警告画面の構成例を示す図である。
【符号の説明】
【００５１】
１  記録媒体作成装置
２  メディア装填部
３  機器接続部
４  記録媒体装填部
５  表示部
６  操作部
７  デジタルカメラ
７ａ  カメラ付き携帯電話機
８  メディア
９  記録媒体
９ａ  ＩＤ情報記録手段
１０  記録装置
１１  本体
１１ａ  記録媒体装填部
１２  表示手段
１３  操作手段
１４  画像データ入力手段
１５  選択手段
１６  記録構造判別手段
１７  記録制御手段
１８  記録手段
１９  メニュー画面
２０  選択画面
２１  サーバ
２２  通信ネットワーク
２３  警告画面
【図１】
2005236974.tif 000003
【図２】
2005236974.tif 000004
【図３】
2005236974.tif 000005
【図４】
2005236974.tif 000006
【図５】
2005236974.tif 000007
【図６】
2005236974.tif 000008
【図７】
2005236974.tif 000009
【図８】
2005236974.tif 000010
【図９】
2005236974.tif 000011
【図１０】
2005236974.tif 000012
【図１１】
2005236974.tif 000013
【図１２】
2005236974.tif 000014
【図１３】
2005236974.tif 000015